【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
２つ以上のステレオリソグラフィ機械（２）、及び、ステレオリソグラフィプロセスを通して３次元物体を印刷するための前記ステレオリソグラフィ機械（２）のそれぞれの機能を管理するように構成される少なくとも１つのデータ処理ユニット（３，３１）を備え、前記ステレオリソグラフィ機械（２）のそれぞれは、前記３次元物体を作成するために使用される基材の少なくとも１つのリチャージカートリッジ（４１）を設置するための第１の結合手段（２１）備え、前記リチャージカートリッジ（４１）は一義的識別コード（ＩＤ）を備える、印刷ユニット（１）であって、前記少なくとも１つのリチャージカートリッジ（４１）の妥当性確認システム（５）を備え、
前記妥当性確認システム（５）は、
―前記少なくとも１つのデータ処理ユニット（３，３１）が、前記リチャージカートリッジ（４１）の前記一義的識別コード（ＩＤ）を読取るように構成される読取り手段（３２，３２１）、及び、前記一義的識別コード（ＩＤ）を、インターネット接続を通して前記データ処理ユニット（３，３１）と通信するように構成されるリモートサーバ（６１）に送信するように構成される送受信機手段（３３）を備えること、
−前記リモートサーバ（６１）が、前記リチャージカートリッジ（４１）に関連する、真正でありかつアクティブであると考えられる一義的識別コード（ＩＤ）の予め規定済みのリスト（Ｌ）を内部に記憶している記憶手段（６１２，６２２）を備え、前記リモートサーバ（６１）が、前記ステレオリソグラフィ機械（２）のそれぞれのステレオリソグラフィ機械に対して予約されるメモリ割当て（８１）を前記記憶手段（６１２）内に有すること
を可能にし、
前記リモートサーバ（６１）は、
―前記データ処理ユニット（３，３１）から、前記リチャージカートリッジ（４１）に関連する前記一義的識別コード（ＩＤ）を受信し、
−前記一義的識別コード（ＩＤ）が真正でありかつアクティブであることを検証するため、前記一義的識別コード（ＩＤ）を前記予め規定済みのリスト（Ｌ）と比較し、
−前記一義的識別コード（ＩＤ）が真正でありかつアクティブである場合、前記一義的識別コード（ＩＤ）の妥当性信号を前記データ処理ユニット（３，３１）に送信する
ように構成され、
前記データ処理ユニット（３，３１）の前記送受信機手段（３３）は、前記妥当性信号を受信し、前記妥当性信号を受信した後、前記基材を、前記リチャージカートリッジ（４１）から、前記ステレオリソグラフィ機械（２）の１つのステレオリソグラフィ機械上に配置されるタンク（４２）まで移送するように更に構成され、
前記リモートサーバ（６１）は、
−前記ステレオリソグラフィ機械（２）のそれぞれのステレオリソグラフィ機械について利用可能な基材の総量の値を、前記移送オペレーション中に移送される基材の量を、前記ステレオリソグラフィ機械（２）のそれぞれのステレオリソグラフィ機械に前もって関連付けられ基材の総量に付加することによって計算し、
−基材の総量の前記計算済み値を前記ステレオリソグラフィ機械（２）のそれぞれのステレオリソグラフィ機械に関連付け、前記値を前記メモリ割当て（８１）に記憶し、
−前記基材が前記リチャージカートリッジ（４１）から前記タンク（４２）内に完全に移送された場合、前記リチャージカートリッジ（４１）に関連する前記一義的識別コード（ＩＤ）の状態を、前記予め規定済みのリスト（Ｌ）内でアクティブから非アクティブに修正する
ように構成されることを特徴とする、印刷ユニット（１）。
【請求項２】
２つ以上のステレオリソグラフィ機械（２）、及び、ステレオリソグラフィプロセスを通して３次元物体を印刷するための前記ステレオリソグラフィ機械（２）のそれぞれの機能を管理するように構成される少なくとも１つのデータ処理ユニット（３，３１）を備え、前記ステレオリソグラフィ機械（２）のそれぞれは、前記３次元物体を作成するために使用される基材を含むのに適する少なくとも１つのタンク（４２）を少なくとも１つの消耗品要素（４）として設置するための第２の結合手段（２２）を備え、前記タンク（４２）は一義的識別コード（ＩＤ）を備える、印刷ユニット（１）であって、少なくとも１つのタンク（４２）の妥当性確認システム（５）を備え、
前記妥当性確認システム（５）は、
―前記少なくとも１つのデータ処理ユニット（３，３１）が、前記タンク（４２）の前記一義的識別コード（ＩＤ）を読取るように構成される読取り手段（３２，３２１）、及び、前記一義的識別コード（ＩＤ）を、インターネット接続を通して前記データ処理ツニット（３，３１）と通信するように構成されるリモートサーバ（６１）に送信するように構成される送受信機手段（３３）を備えること、
―前記リモートサーバ（６１）が、少なくとも前記タンク（４２）に関連する、真正でありかつアクティブであると考えられる一義的識別コード（ＩＤ）の予め規定済みのリスト（Ｌ）を内部に記憶している記憶手段（６１２）を備え、前記リモートサーバ（６１）が、前記一義的識別コード（ＩＤ）を有する少なくとも前記タンク（４２）のそれぞれのタンクについて予約されるメモリ割当て（８２）を前記記憶手段（６１２）内に有すること
を可能にし、
前記リモートサーバ（６１）は、
−前記データ処理ユニット（３，３１）から少なくとも前記タンク（４２）に関連する前記一義的識別コード（ＩＤ）を受信し、
−前記一義的識別コード（ＩＤ）が真正でありかつアクティブであることを検証するため、前記一義的識別コード（ＩＤ）を前記予め規定済みのリスト（Ｌ）と比較し、
−前記一義的識別コード（ＩＤ）が真正でありかつアクティブである場合、前記一義的識別コード（ＩＤ）の妥当性信号を前記データ処理ユニット（３，３１）に送信する
ように構成され、
前記データ処理ユニット（３，３１）の前記送受信機手段（３３）は、前記妥当性信号を受信するように更に構成され、前記データ処理ユニット（３，３１）は、前記妥当性信号を受信する場合、少なくとも前記タンク（４２）が設置されるステレオリソグラフィ機械（２）内での前記タンク（４２）の使用を許可するように構成され、
前記リモートサーバ（６１）は、
−前記タンク（４２）を、前記タンク（４２）の使用の回数に、前記メモリ割当て（８２）内に前記回数を記憶することによって関連付け、
−前記タンク（４２）を、前記タンク（４２）内に移送される基材のタイプに、前記メモリ割当て（８２）内に基材の前記タイプを記憶することによって関連付け、
−使用の前記回数が、予め規定済みの使用の回数に達するまたはそれを超える場合、前記タンク（４２）に関連する前記一義的識別コード（ＩＤ）の状態を、前記予め規定済みのリスト（Ｌ）内でアクティブから非アクティブに修正する
ように更に構成されることを特徴とする、印刷ユニット（１）。
【請求項３】
前記リモートサーバ（６１）は、２つ以上の消耗品要素（４，４１，４２）が前記ステレオリソグラフィ機械（２）の１つに設置される場合、前記消耗品要素（４，４１，４２）のそれぞれ消耗品要素の一義的識別コード（ＩＤ）が真正でかつアクティブであるという条件で、前記リモートサーバ（６１）は、前記妥当性信号を前記データ処理ユニット（３，３１）に送信することになるように構成されることを特徴とする、請求項１または２に記載の印刷ユニット（１）。
【請求項４】
前記データ処理ユニット（３，３１）は、
−前記ステレオリソグラフィ機械（２）に関連付けられ、前記メモリ割当て（８１）に記憶された基材の総量の前記値を、前記３次元物体を作成するために必要な基材の量と比較し、
−基材の前記総量が、前記３次元物体を作成するために必要な基材の前記量に等しいかまたはそれを超える場合、前記ステレオリソグラフィ機械（２）が印刷プロセスを実施することを許可する
ように構成されることを特徴とする、請求項１から３までのいずれか１項に記載の印刷ユニット（１）。  
【請求項５】
前記消耗品要素（４，４１，４２）のそれぞれの消耗品要素は、ストレージ及び伝送デバイス（７，７１）を備え、前記ストレージ及び伝送デバイス（７，７１）内に前記一義的識別コード（ＩＤ）が記憶されることを特徴とする、請求項１から４までのいずれか１項に記載の印刷ユニット（１）。  
【請求項６】
―前記消耗品要素（４，４１，４２）のそれぞれの消耗品要素内に存在する前記ストレージ及び伝送デバイス（７，７１）はＲＦＩＤタグ（７１）であり、
−前記読取り手段（３２，３２１）はＲＦＩＤ送受信機（３２１）によって構成されることを特徴とする、請求項５に記載の印刷ユニット（１）。